(57)【特許請求の範囲】
【請求項１】
浴室の防水パン周縁の立設片の前方に壁パネルを前後方向に位置決めするための壁パネル接続具であって、
壁パネル後面への取付が可能となるように形成された接続具本体と、
接続具本体の後部に設けられ立設片に対し上方から差し込み可能に形成された係止部と、
接続具本体の下端から前方に向けて延設され壁パネルを支持するためのパネル載置用突片と
を備え、
前記接続具本体は前記壁パネルの下端部の長手方向の一部に設けられるものであり、
前記パネル載置用突片の下面は、防水パン上の水密材に当接する水密材当接部となっている
ことを特徴とする壁パネル接続具。
【請求項２】
前記パネル載置用突片の下面が水密材当接部とされており、水密材当接部には複数の突起が設けられている請求項１記載の壁パネル接続具。
【発明の詳細な説明】
【技術分野】
【０００１】
本発明は、浴室の防水パン周縁の立設片の前方に壁パネルを前後方向に位置決めするための壁パネル接続具に関するものである。
【背景技術】
【０００２】
従来から、浴室の防水パン周縁の立設片の前方に壁パネルを前後方向に位置決めするため、壁パネルの下端部に取り付けられる壁パネル接続具が知られている（例えば、特許文献１の図６等参照）。
【０００３】
この壁パネル接続具は、図６に示されるようなもので、浴室の壁パネル４の後面へ取り付けられる接続具本体７１と、その接続具本体７１の後部に設けられた係止部７２とを備えている。この壁パネル接続具Ａ´は壁パネル４の下端に取り付けられるようになっており、この壁パネル接続具Ａ´と一体となった壁パネル４が防水パン５の周縁に配置される。防水パン５周縁には立設片５６が設けられており、この立設片５６に対して壁パネル接続具Ａ´の係止部７２を上方から差し込むようにして、壁パネル４が防水パン５周縁に取り付けられる。この係止部７２によって、壁パネル４が立設片５６に対して前後方向に位置決めされる。
【０００４】
このとき、あらかじめ防水パン５の壁パネル４が載置される部分には水密材６としてのパッキン６ａが配設されており、防水パン５の上方から壁パネル４を載設することで壁パネル４と防水パン５との間にパッキン６ａが介装される。
【０００５】
壁パネル４下端面と防水パン５上面との間の部分のうち、浴室外側の部分には上記のようにパッキン６ａが介装されているが、浴室内側の部分にはパッキン６ａの厚み程度の隙間が形成されている。この隙間には最終仕上げとしてシーリング材８が配設される。そして、硬化したシーリング材８により一次止水を図ると共にパッキンにより二次止水を図り、浴室外への漏水を２重で防止している。
【先行技術文献】
【特許文献】
【０００６】
【特許文献１】特開２００７−１００３８８号公報
【発明の概要】
【発明が解決しようとする課題】
【０００７】
ところでシーリング材が硬化するまでには相当の時間を要する。一方、このシーリング材８が硬化するまでの壁パネル４の荷重は、壁パネル４の幅方向の全長に亙って略均一の負荷となるように、パッキン６ａ全長で受けるような構造となっている。この場合パッキン６ａには、与えられる圧力は小さいものの、長時間継続的に荷重が付与し続けられるため、徐々に変形（パッキン６ａが厚み方向に圧縮されて前後に突出するような変形）が進行する場合がある。シーリング材８が完全に硬化する前に、上記のようにパッキン６ａが変形してしまうと、シーリング材８が後部から圧迫されるため、シーリング材８の表面側に、膨れが全体的に又は局所的に発生してしまうという問題があった。
【０００８】
この問題を解決するため、従来は以下のような対策を講じていた。
【０００９】
壁パネル４の幅方向の全長に亙って配設されていたパッキン６ａを、部分的に且つ複数箇所において切除する。そして、その取り除いた部分にパッキン６ａよりもやや厚みの薄いスペーサ（図示せず）を配設する。この状態で防水パン５に配設されたパッキン６ａの上に壁パネル４を載設する。
【００１０】
このようにすることで、壁パネル４がパッキン６ａに長時間継続的に荷重を与え続けたとしても、パッキン６ａが一定量変形した所で壁パネル４はスペーサにより支持される。このため、パッキン６ａはそれ以上変形しなくなる。つまり、シーリング材８配設後、シーリング材８の背部でパッキン６ａがほぼ変形しなくなり、シーリング材８の膨れの発生が防止される。
【００１１】
ところが、上記のようにスペーサを作製し且つ配設する作業は、据え付け作業中に行なう必要があるため、効率が悪く、また手間が掛かるものであった。
【００１２】
本発明は、上記事情に鑑みてなされたものであり、その目的とするところは、作業効率を向上させると共に、作業時の手間を低減させる壁パネル接続具を提供することにある。
【課題を解決するための手段】
【００１３】
上記課題を解決するために本発明の壁パネル接続具は以下の構成とする。
【００１４】
すなわち、本発明は、浴室の防水パン５周縁の立設片５６の前方に壁パネル４を前後方向に位置決めするための壁パネル接続具Ａである。この壁パネル接続具Ａは、接続具本体１と係止部２とパネル載置用突片３とを備えている。接続具本体１は、壁パネル４後面への取付が可能となるように形成されている。係止部２は、接続具本体１の後部に設けられ、立設片５６に対し上方から差し込み可能に形成されている。パネル載置用突片３は、接続具本体１の下端から前方に向けて延設され、壁パネル４を支持するために設けられている。また、接続具本体１は、壁パネル４の下端部の長手方向の一部に設けられるものであり、前記パネル載置用突片３の下面は、防水パン５上の水密材６に当接する水密材当接部３１となっている。
【００１５】
壁パネル４の下端部の後面に壁パネル接続具Ａが取り付けられると、壁パネル４の下方にパネル載置用突片３が位置する。次にその接続具の係止部２を立設片５６の上から差し込むようにして、壁パネル４が防水パン５上に載設されると、防水パン５の上面と壁パネル４の下面との間にパネル載置用突片３が位置する。そして、パネル載置用突片３が壁パネル４を支持した状態で、壁パネル４が防水パン５上に載設される。
【００１６】
つまり、本発明の壁パネル接続具Ａを壁パネル４に取り付けるだけで、壁パネル４と防水パン５との間にスペーサが挟まれた状態と同様の状態を形成することができるので、スペーサを作製し且つ配設する現場作業を省きつつ、シーリング材８の膨れを防止することができる。
【００１７】
また、本発明の壁パネル接続具Ａは、パネル載置用突片３の下面が水密材当接部３１とされ、水密材当接部３１には複数の突起３２が設けられているのが好ましい。
【００１８】
パネル載置用突片３が水密材６上に載置されるように壁パネル４が防水パン５上に設置されると、水密材当接部３１には複数の突起３２が設けられているため、水密材６に水密材当接部３１が食い込み、止水力が向上する。
【００１９】
ここで、パネル載置用突片３が水密材６上に載置されるように壁パネル４が防水パン５上に設置されると、パネル載置用突片３は、壁パネル４の荷重を支持するようになっているため、集中的に水密材６に荷重を与える。すると、壁パネル４を載置した直後に水密材６が厚み方向に十分に圧縮される。そして、このパネル載置用突片３の下方の部分の水密材６は、圧縮方向への弾性変形が起こりにくい状態となり、長時間継続的に水密材６に荷重を与えても厚み方向へはこれ以上変形しにくい。この後にシーリング材８を配設すればシーリング材８の未硬化状態のときに水密材６はほぼ変形しない。このため、この場合であってもシーリング材８の膨れが防止される。
【発明の効果】
【００２０】
本願発明によれば、作業効率を向上させると共に、作業時の手間を低減させることができる。
【図面の簡単な説明】
【００２１】
【図１】本発明の一実施形態の斜視図である。
【図２】同上の実施形態を説明するための図であり（ａ）は側面図であり（ｂ）は正面図である。
【図３】同上の実施形態の壁パネル接続具の使用例を説明するための要部側断面図である。
【図４】同上の使用例における防水パンを説明するための斜視図である。
【図５】同上の使用例における壁パネル接続具の取り付け方法を説明するための斜視図であり（ａ）は取り付け直前の図であり（ｂ）は取付完了後の図である。
【図６】従来例を説明するための要部側断面図である。
【発明を実施するための形態】
【００２２】
図１及び図２には本実施形態の壁パネル接続具Ａが示されており、図３乃至図５には本実施形態の壁パネル接続具Ａの使用例が示されている。以下、その使用状態に基づいて本実施形態の壁パネル接続具Ａを説明する。なお、防水パン５の縁部における浴室内方側を前方向とし、浴室外方側を後方向と定義する。
【００２３】
壁パネル接続具Ａは、図１に示されるように、接続具本体１と、接続具本体１の後部に設けられた係止部２と、接続具本体１の下端から前方に向けて延設されたパネル載置用突片３とを備えている。
【００２４】
接続具本体１は、壁パネル４の幅方向（左右方向）の長さに対して一部となるような大きさとなっており（図５参照）、内部に肉抜き部１１が設けられている。接続具本体１の略中央には、壁パネル４下端部の被取付部４５に取り付けられる取付部１３が設けられている。その取付部１３の上方（接続具本体１の上端前部）には、壁パネル４の後面に当接する壁パネル当接部１２が前方に向けて突設されている。取付部１３は、図２（ａ）に示されるように、突出先端ほど上下方向の長さが大きくなるような側面視末広がり形状となっている。接続具本体１の上端後部には、後方に向けて突出した略逆Ｌ状の係止片２１が設けられている。係止片２１の突出先端には、防水パン５の周縁の立設片５６への導入を容易にするための導入部２２が設けられている。
【００２５】
係止部２は、接続具本体１の後部に設けられた前記係止片２１と、その係止片２１に対向する接続具本体１の背面部２３とで構成されており、図３に示されるように、防水パン５の立設片５６に対して上方から差し込めるような形状となっている。
【００２６】
パネル載置用突片３は、図１及び図２に示されるように、接続具本体１よりも幅狭とされており、接続具本体１下端の幅方向略中央に、接続具本体１に対して略直交となるように一体的に延設されている。パネル載置用突片３の上面は、壁パネル４が載置される載置部３３とされている。またパネル載置用突片３の下面は、防水パン５上の水密材６（パッキン６ａ）に当接する水密材当接部３１とされている。
【００２７】
水密材当接部３１には、図２（ａ）に示されるように、複数の突起３２が設けられている。特に本実施形態の突起３２は、壁パネル４の幅方向に沿った突条３２ａで構成されている。この突条３２ａは前後方向に並ぶように複数（本実施形態では２箇所）設けられており、その突条３２ａ間は凹所３４となっている。突条３２ａは、長手方向の両端にテーパ部３２ｂを有しており、突出先端ほど長手方向に短く（細く）なるよう形成されている。
【００２８】
以上のような構成の壁パネル接続具Ａは、図５に示されるように、浴室の壁パネル４の下端後面に取り付けられる。壁パネル接続具Ａが取り付けられた壁パネル４は、図３に示されるように、係止部２を防水パン５周縁の立設片５６の上方から差し込むように取り付けられることで、防水パン５に対して前後方向に位置決めされる。
【００２９】
本使用例における浴室は、ユニットバスルームにより構成されている。このユニットバスルームは、防水パン５と、防水パン５の周縁に立設される壁パネル４と、壁パネル４上に載設される天井パネル（図示なし）とで主体が構成されている。
【００３０】
防水パン５は、ＦＲＰ等の合成樹脂で形成されており、図４に示されるように、床パンからなる洗い場部５１と、この洗い場部５１に隣接する別体の浴槽部５２とで構成され、全体として平面視矩形状となっている。浴槽部５２の上端外周縁にはフランジ部５３が形成されており、このフランジ部５３と洗い場部５１とは段面５４を介して接続されている。そして、この防水パン５の周縁には、図３に示されるような段部５５が全周に亙って形成されており、その段部５５の外周縁には立設片５６が上方に向けて突設されている。
【００３１】
防水パン５の周縁の段部５５は水平面５５ａを有しており、図３に示されるように、この水平面５５ａ上にパッキン６ａが配設され、その上面に壁パネル４が載設される。なお、本使用例のパッキン６ａは防水パン５の各辺に対応した長さのものを使用しており、各パッキン６ａは、部分的に切除されておらず壁パネル４の幅方向全長に亙って連続した板パッキン６ａである。なお、本実施形態のパッキン６ａは発泡ポリエチレンテープにて構成されている。
【００３２】
壁パネル４は、洗い場部５１の床パンに設置される長パネルと、浴槽部５２のフランジ部５３等に設置される短パネルとを有しており、これらを所定の位置に設置すると、上端が略同じ高さになるように形成されている。長パネルと短パネルとは、上下寸法は異なるが、その他は同様の構成となっている。
【００３３】
壁パネル４は、図３に示されるように、金属製の表面板４１と、表面板４１の後面に配される断熱材４２とを有している。壁パネル４の表面板４１の下端部は、後方に向けて折り曲げられることで形成された底片４３を有している。さらに底片４３の後方側の端部は、上方に向けて折り曲げることで形成された取付片４４を有している。
【００３４】
取付片４４には、壁パネル４の幅方向の両端部及び中央部の計３箇所に、図５に示されるような、被取付部４５としてのだるま孔４６が形成されている。各だるま孔４６は、一方側が上下幅の大きい大幅孔部４６ａとなっており、他方側が上下幅の小さい小幅孔部４６ｂとなっている。
【００３５】
このような構成の壁パネル４を、防水パン５上に設置するに当たっては、以下のように行なう。
【００３６】
図５に示されるように、本実施形態の壁パネル接続具Ａを、その取付部１３が壁パネル４の後面のだるま孔４６の大幅孔部４６ａに挿入されるように配置し、そのまま小幅孔部４６ｂに向けてスライド移動させ、壁パネル４の後面に取り付ける。このとき、壁パネル４の下端部の後面に接続具本体１が取り付けられると、壁パネル４の下方にパネル載置用突片３が位置する。
【００３７】
次に、壁パネル接続具Ａと一体となった壁パネル４を、立設片５６の上方から壁パネル接続具Ａの係止部２を差し込むようにして、図３に示されるように防水パン５の周縁の段部５５の水平面５５ａに載置する。このとき、水平面５５ａ上にはパッキン６ａが配置貼着されているため、防水パン５の上面と接続具本体１のパネル載置用突片３との間、及び防水パン５の上面と壁パネル４の下面との間にはパッキン６ａが介装される。
【００３８】
ところでパネル載置用突片３は、壁パネル４の荷重を支持するようになっているため、パッキン６ａ上に壁パネル４が載置されると集中的にパッキン６ａに荷重を与える。このため、壁パネル４を載置した直後には、パッキン６ａが厚み方向に十分に圧縮される。十分圧縮されたパッキン６ａは、厚み方向への変形が起こりにくくなるため、この後壁パネル４により長時間荷重が与えられ続けたとしてもほぼ変形しない。
【００３９】
そしてこの状態で、防水パン５の上面と壁パネル４の下面との間の前方側の隙間に（壁パネル４と防水パン５とで成す角部の隙間に）シーリング材８を配設する。この後、シーリング材８が硬化するまで時間を要するが、上述のように、既に厚み方向に十分に圧縮したパッキン６ａはこれ以上厚み方向にほぼ変形しないため、シーリング材８が後部から圧迫されることがなくなる。つまり、シーリング材８が膨れたりするのを防止できる。
【００４０】
また、水密材当接部３１には複数の突条３２ａが設けられているため、パッキン６ａに水密材当接部３１が食い込み、この突条３２ａ間の凹所３４内にパッキン６ａが入り込む。これにより、パッキン６ａによる水密度を向上させることができる。
【００４１】
また、水密材当接部３１に設けられた突条３２ａは、先端ほど細くされているため、突条３２ａがパッキン６ａに食い込ませやすくなる。また、突条３２ａは先端ほど細くされてテーパ部３２ｂが形成されているため、突条３２ａ先端のみならずテーパ部３２ｂをもパッキン６ａに当接させることができる。このため、一層水密度を向上させることができる。
【００４２】
ここで、従来技術のようにパッキン６ａを部分的に切除し、その切除した部分に本実施形態のパネル載置用突片３が位置するようにしても、同様にシーリング材８の膨れは防止できるが、切除した部分においては止水力が低下するという不安が残る。つまりこの場合、二次止水による止水効果が低下するおそれがあるが、上記使用例によれば、パッキン６ａを部分的に切除する必要がないため、パッキン６ａによる止水力が向上し、二次止水による効果を確実に発揮させることができて商品価値を高めることができる。
【００４３】
さらに、従来のようにスペーサを作製し且つ配設する現場作業を行なう必要がなくなるため、作業効率を向上させると共に、作業時の手間を低減させることができる。
【００４４】
なお、上記使用例における防水パン５は、洗い場部５１と浴槽部５２とが一体となったものとなっていたが、本発明の防水パン５はこのものに限定されない。
【符号の説明】
【００４５】
１      接続具本体
１１    肉抜き部
１２    壁パネル当接部
１３    取付部
２      係止部
２１    係止片
２２    導入部
２３    背面部
３      パネル載置用突片
３１    水密材当接部
３２    突起
３２ａ  突条
３２ｂ  テーパ部
３３    載置部
５      防水パン
５６    立設片
Ａ      壁パネル接続具
【図１】
0005469447.tif 000002
【図２】
0005469447.tif 000003
【図３】
0005469447.tif 000004
【図４】
0005469447.tif 000005
【図５】
0005469447.tif 000006
【図６】
0005469447.tif 000007